(57)【要約】【課題】煩雑な操作を行うことなくユーザの所望の言語により緊急情報を表示することが可能な表示装置を提供する。【解決手段】このテレビジョン（表示装置）１は、テレビジョン放送の映像情報およびＥＡＳメッセージ３０を受信するチューナーユニット２と、チューナーユニット２により受信したテレビジョン放送の映像情報および緊急情報を表示する表示部４と、複数の言語の中から所定の言語を選択して設定する設定画面４ａと、ＥＡＳメッセージ３０を受信した際に、設定画面４ａにより予め設定された所定の言語により、受信したＥＡＳメッセージ３０を表示するように制御する制御部６とを備える。【選択図】図１
2008294901.tif 000002
【特許請求の範囲】
【請求項１】
テレビジョンの映像情報および緊急情報を受信する受信部と、
前記受信部により受信したテレビジョンの映像情報および緊急情報を表示する表示部と、
複数の言語の中から所定の言語を選択して設定する言語選択手段と、
前記緊急情報を受信した際に、前記言語選択手段により予め設定された所定の言語により、前記受信した緊急情報を表示するように制御する制御部とを備える、表示装置。
【請求項２】
前記受信部により受信される緊急情報は、緊急内容を通知する文字情報を含み、
前記制御部は、前記受信された緊急内容を通知する文字情報が複数の言語により構成されていると判断された場合に、前記言語選択手段により予め設定された所定の言語により構成された緊急内容を通知する文字情報を表示するように制御するとともに、前記受信された緊急内容を通知する文字情報に複数の言語が含まれていないと判断された場合に、前記緊急情報の文字情報を構成する言語により前記緊急内容を通知する文字情報を表示するように制御する、請求項１に記載の表示装置。
【請求項３】
前記受信部により受信される緊急情報は、緊急内容を通知する文字情報の長さ情報および緊急内容を通知する文字情報の表示時間情報をさらに含み、
前記制御部は、前記受信された緊急内容を通知する文字情報の長さ情報に基づいて前記表示部への前記緊急内容を通知する文字情報の表示方法を選択するように制御するとともに、前記受信された緊急内容を通知する文字情報の表示時間情報に基づいて前記緊急内容を通知する時間を設定するように制御する、請求項１または２に記載の表示装置。
【請求項４】
前記制御部は、前記複数の言語により構成された緊急内容を通知する文字情報のうちに前記予め設定された所定の言語に一致する言語により構成された前記緊急内容を通知する文字情報が含まれると判断された場合に、前記所定の言語に一致する言語により構成された緊急内容を通知する文字情報を表示するように制御する、請求項２または３に記載の表示装置。
【請求項５】
前記複数の言語により構成された緊急内容を通知する文字情報の言語を変更する操作部材をさらに備え、
前記制御部は、前記表示部に前記緊急内容を通知する文字情報が前記所定の言語で表示されている際に、ユーザによる前記操作部材の操作に基づいて前記緊急内容を通知する文字情報の言語を前記複数の言語のうちの前記所定の言語以外の言語に変更するように制御する、請求項２〜４のいずれか１項に記載の表示装置。
【請求項６】
前記緊急内容を通知する文字情報は、前記緊急内容を通知する文字情報の表示時間情報に基づいて所定の期間表示され、
前記制御部は、前記表示部に前記緊急情報の緊急内容を通知する文字情報が表示されている期間内に前記操作部材が操作された場合に、前記緊急内容を通知する文字情報の言語を変更するように制御する、請求項２〜５のいずれか１項に記載の表示装置。
【発明の詳細な説明】
【技術分野】
【０００１】
この発明は、表示装置に関し、特に、テレビジョンの映像情報および緊急情報を受信する受信部を備えた表示装置に関する。
【背景技術】
【０００２】
従来、テレビジョンの映像情報および緊急情報を受信する受信部を備えた表示装置が知られている。また、複数の言語により構成された緊急情報を送受信するシステムが知られている（たとえば、特許文献１）。
【０００３】
上記特許文献１には、表示部を含む受信媒体（受信部）を備えた装置による緊急時情報伝達方法が開示されている。この特許文献１に記載の緊急時情報伝達方法では、災害が発生した際に、受信媒体の表示部に災害の発生を通知する短い文字情報をユーザが選択可能なように複数の言語により一覧表示させる。そして、複数の言語により一覧表示された文字情報からユーザによって選択された言語により構成された災害の詳細情報が受信されて表示されるように構成されている。
【０００４】
【特許文献１】特開２００２−１５０４５７号公報
【発明の開示】
【発明が解決しようとする課題】
【０００５】
しかしながら、上記特許文献１に記載の緊急時情報伝達方法では、ユーザに選択された言語により災害情報が表示されるように構成されている一方で、ユーザの所望の言語により緊急情報を表示するためには、受信された災害発生を通知する短い文字情報からユーザの所望の言語を選択することによってはじめて災害の詳細情報が受信されて表示される。したがって、ユーザの所望の言語により緊急情報を表示するために煩雑な操作を行わなければならないという問題点がある。
【０００６】
この発明は、上記のような課題を解決するためになされたものであり、この発明の１つの目的は、煩雑な操作を行うことなくユーザの所望の言語により緊急情報を表示することが可能な表示装置を提供することである。
【課題を解決するための手段および発明の効果】
【０００７】
この発明の一の局面による表示装置は、テレビジョンの映像情報および緊急情報を受信する受信部と、受信部により受信したテレビジョンの映像情報および緊急情報を表示する表示部と、複数の言語の中から所定の言語を選択して設定する言語選択手段と、緊急情報を受信した際に、言語選択手段により予め設定された所定の言語により、受信した緊急情報を表示するように制御する制御部とを備える。
【０００８】
この一の局面による表示装置では、上記のように、制御部を、緊急情報を受信した際に、言語選択手段により複数の言語の中から予め設定された所定の言語により受信した緊急情報を表示するように制御するように構成することによって、受信した緊急情報を表示する際にユーザが言語を選択することなくユーザによって予め言語選択手段において設定された所定の言語により表示されるように制御される。したがって、煩雑な操作を行うことなくユーザの所望の言語により緊急情報を表示することができる。
【０００９】
上記一の局面による表示装置において、好ましくは、受信部により受信される緊急情報は、緊急内容を通知する文字情報を含み、制御部は、受信された緊急内容を通知する文字情報が複数の言語により構成されていると判断された場合に、予め設定された所定の言語により構成された緊急内容を通知する文字情報を表示するように制御するとともに、受信された緊急内容を通知する文字情報に複数の言語が含まれていないと判断された場合に、緊急情報の文字情報を構成する言語により緊急内容を通知する文字情報を表示するように制御するように構成される。このように構成すれば、文字情報に単一の言語しか含まれていない場合には、その単一の言語により表示されるとともに、文字情報が複数の言語により構成されている場合には、確実に所定の言語により表示することができる。
【００１０】
上記一の局面による表示装置において、好ましくは、受信部により受信される緊急情報は、緊急内容を通知する文字情報の長さ情報および緊急内容を通知する文字情報の表示時間情報をさらに含み、制御部は、受信された緊急内容を通知する文字情報の長さ情報に基づいて表示部への緊急内容を通知する文字情報の表示方法を選択するように制御するとともに、受信された緊急内容を通知する文字情報の表示時間情報に基づいて緊急内容を通知する時間を設定するように制御するように構成される。このように構成すれば、制御部の制御により、緊急内容を通知する文字情報を、緊急内容を通知する文字情報の長さに基づいて、たとえば、表示部に対して文字情報をスクロールするように表示する表示方法、または、文字情報を複数行に分割して表示する表示方法などの表示方法を選択して表示するとともに、緊急内容を通知する文字情報の表示時間情報に基づいて表示するように制御される。したがって、ユーザは、表示部に表示された緊急情報を容易に確認することができる。
【００１１】
上記一の局面による表示装置において、好ましくは、制御部は、複数の言語により構成された緊急内容を通知する文字情報のうちに予め設定された所定の言語に一致する言語により構成された緊急内容を通知する文字情報が含まれると判断された場合に、所定の言語に一致する言語により構成された緊急内容を通知する文字情報を表示するように制御するように構成される。このように構成すれば、複数の言語により構成された緊急内容を通知する文字情報のうちから予め言語選択手段において設定された所定の言語に一致する言語により構成された緊急内容を通知する文字情報を表示するので、確実に所望の言語により構成された文字情報が表示される。これにより、ユーザは、容易に文字情報の内容を認識することができる。
【００１２】
上記一の局面による表示装置において、好ましくは、複数の言語により構成された緊急内容を通知する文字情報の言語を変更する操作部材をさらに備え、制御部は、表示部に緊急内容を通知する文字情報が所定の言語で表示されている際に、ユーザによる操作部材の操作に基づいて緊急内容を通知する文字情報の言語を複数の言語のうちの所定の言語以外の言語に変更するように制御するように構成される。このように構成すれば、ユーザによる操作部材の操作によって緊急内容を通知する文字情報を所定の言語以外の言語に変更して表示することができるので、ユーザは、必要に応じて、緊急内容を通知する文字情報を所定の言語以外の言語により視認することができる。
【００１３】
上記一の局面による表示装置において、好ましくは、緊急内容を通知する文字情報は、緊急内容を通知する文字情報の表示時間情報に基づいて所定の期間表示され、制御部は、表示部に緊急情報の緊急内容を通知する文字情報が表示されている期間内に操作部材が操作された場合に、緊急内容を通知する文字情報の言語を変更するように制御するように構成される。このように構成すれば、緊急内容を通知する文字情報の表示時間の期間内に操作部材を操作する毎に緊急内容を通知する文字情報の言語が順次変更されるので、表示時間の期間内であれば緊急内容を通知する文字情報の言語を繰り返し変更することができる。したがって、ユーザは、容易に緊急内容を通知する文字情報の言語を所望の言語に設定することができる。
【発明を実施するための最良の形態】
【００１４】
以下、本発明の実施形態を図面に基づいて説明する。
【００１５】
図１は、本発明の一実施形態によるテレビジョンを示すブロック図である。図２〜図４は、本発明の一実施形態によるテレビジョンの構成を説明するための図である。まず、図１〜図４を参照して、本発明の一実施形態によるテレビジョン１の構成を説明する。なお、本実施形態では、表示装置の一例であるテレビジョンに本発明を適用した例を説明する。
【００１６】
図１に示すように、テレビジョン１は、放送局から発信される信号を受信するアンテナ（図示せず）を含むチューナーユニット２と、パーソナルコンピュータやＤＶＤプレーヤなどの外部機器と接続される複数の端子３ａを含む外部入力基板３と、ＬＣＤ（Ｌｉｑｕｉｄ  Ｃｒｙｓｔａｌ  Ｄｉｓｐｌａｙ）からなる表示部４と、チューナーユニット２および外部入力基板３から入力される複数の信号から特定の信号を選択して表示部４に出力するＡＶスイッチ５と、テレビジョン１の各部を制御するためのＣＰＵからなる制御部６とを備えている。また、テレビジョン１は、テレビジョン１のボリューム、チャンネルなどの変更、および、各種設定の変更などを行うための複数のボタン７ａを有する入力部７を備えている。また、入力部７は、リモコン２０からの信号を受信する受信部７ｂを含んでいる。このリモコン２０によっても、上記ボリュームの変更などを行うことが可能である。この入力部７またはリモコン２０による信号は、制御部６に入力される。制御部６は、その信号に基づいて、所定の処理を行うようにテレビジョン１の各部を制御する。なお、チューナーユニット２は、本発明の「受信部」の一例である。また、リモコン２０は、本発明の「操作部材」の一例である。
【００１７】
また、チューナーユニット２は、アンテナ（図示せず）により受信した信号のうち、ユーザが指定したチャンネルに対応する放送信号の検波および復調を行うとともに、その結果得たデータを制御部６を介してＡＶスイッチ５に出力するように構成されている。また、チューナーユニット２は、たとえば、ＥＡＳ（Ｅｍｅｒｇｅｎｃｙ  Ａｌｅｒｔ  Ｓｙｓｔｅｍ）に基づく災害情報または気象警報などの緊急情報を含む信号も受信するとともに、受信した信号に基づいた緊急情報をＡＶユニット５を介して表示部４に出力するように構成されている。なお、ＥＡＳとは、非常時の警報システムであり、たとえば、テレビジョン放送またはラジオ放送に割り込むようにして緊急情報を音声または文字情報などにより発信するシステムのことである。
【００１８】
また、表示部４には、ＡＶスイッチ５から入力されたテレビジョン放送の映像情報の信号またはＥＡＳに基づく緊急情報の信号に対応する映像および文字が表示される。具体的には、表示部４にテレビジョン放送の映像情報が表示されている際にＥＡＳに基づく緊急情報の信号を受信した場合には、図２に示すように、表示部４に表示されているテレビジョン放送の映像情報に重なるようにして、ＥＡＳに基づく緊急情報の信号に対応する文字情報としてのＥＡＳメッセージ３０が表示されるように構成されている。
【００１９】
また、表示部４には、図３に示すように、上記したテレビジョン１における各種設定を行うための設定画面４ａが表示されるように構成されているとともに、ユーザの入力部７またはリモコン２０の操作により設定画面４ａ上を操作することによってテレビジョン１の各種設定を行うことが可能である。具体的には、設定画面４ａは、表示部４に表示されている設定画面４ａを閉じる選択肢としての「ＥＸＩＴ」選択肢４ｂと、表示部４の画質を調整する選択肢としての「ＰＩＣＴＵＲＥ」選択肢４ｃと、テレビジョン１のチャンネル設定を行う選択肢としての「ＣＨＡＮＮＥＬ」選択肢４ｄと、テレビジョン１における各種設定を行う設定画面４ａなどの、テレビジョン１のシステム上に係わる設定および説明などの表示を行う際に表示する言語（システム設定言語）を選択する選択肢としての「ＬＡＮＧＵＡＧＥ」選択肢４ｅとの選択肢から構成されている。また、「ＬＡＮＧＵＡＧＥ」選択肢４ｅにおけるテレビジョン１のシステム上に係わる表示を行う際の言語とは、テレビジョン１のシステム設定などを行う上で表示される言語であり、たとえば、フランス語に設定した場合は設定画面４ａに表示される言語は全てフランス語に変更される（図３の設定画面４ａは英語表示の設定）。また、選択できる言語としては、たとえば、英語、フランス語およびスペイン語などが挙げられる。なお、設定画面４ａの「ＬＡＮＧＵＡＧＥ」選択肢４ｅは、本発明の言語選択手段の一例である。
【００２０】
ここで、本実施形態では、制御部６は、ＥＡＳメッセージ３０（緊急情報）を受信した際に、ユーザによる設定画面４ａの操作により予め設定された所定の言語によって、受信したＥＡＳメッセージ３０（緊急情報）を表示するように制御するように構成されている。つまり、ＥＡＳメッセージ３０（緊急情報）を受信した際に、ユーザにより予め設定された言語（システム設定言語）と同一の種類の言語によってＥＡＳメッセージ３０が表示されるように制御される。
【００２１】
また、本実施形態では、チューナーユニット２により受信されるＥＡＳメッセージ３０（緊急情報）は、緊急内容を通知する文字情報（ＥＡＳメッセージ３０の文面）と、緊急内容を通知する文字情報の長さ情報と、緊急内容を通知する文字情報の表示時間情報とを含んでいる。具体的には、チューナーユニット２により受信されるＥＡＳメッセージ３０は、図４に示すように、ＥＡＳメッセージフォーマット３０ａのような形式のデータとして受信される。そして、ＥＡＳメッセージフォーマット３０ａには、上記した緊急内容を通知する文字情報（ＥＡＳメッセージ３０の文面）に対応するデータとしてのアラートテキスト３０ｂと、緊急内容を通知する文字情報の長さ情報（ＥＡＳメッセージ３０の長さ）に対応するデータとしてのアラートテキスト長３０ｃと、緊急内容を通知する文字情報の表示時間情報（ＥＡＳメッセージ３０の表示時間）に対応するデータとしての表示時間データ３０ｄとからなるデータが含まれている。そして、これらのデータが制御部６により解析されるとともに、解析結果に基づいて作成されたＥＡＳメッセージ３０が表示部４に表示されるように構成されている。また、アラートテキスト３０ｂは、複数言語を有するように規格化されている。すなわち、アラートテキスト３０ｂは、少なくとも１種類以上の言語により構成された文字情報のデータを有している。
【００２２】
また、図１に示すように、制御部６は、ＥＥＰＲＯＭ８に格納された各種設定情報、および、ＲＯＭ９に格納されたプログラムに従ってテレビジョン１の制御を行うように構成されている。また、ＥＥＰＲＯＭ８は、データの書込みおよび消去が可能であり、リモコン２０などによりユーザが設定情報を変更する毎に、変更後の設定情報がＥＥＰＲＯＭ８に書き込まれる。また、ＳＤＲＡＭ１０は、制御部６によるデータの処理などの演算が行われる際に、データが一時記憶されるメモリである。
【００２３】
図５は、本発明の一実施形態によるテレビジョンの制御部における緊急情報信号を受信した際の制御フローを示したフローチャートである。図６は、本発明の一実施形態によるテレビジョンの表示部における緊急情報の表示方法を説明するための図である。次に、図１〜図６を参照して、本発明の一実施形態によるテレビジョン１の制御部６によるＥＡＳ（Ｅｍｅｒｇｅｎｃｙ  Ａｌｅｒｔ  Ｓｙｓｔｅｍ）に基づく緊急情報信号を受信した際の制御動作について説明する。
【００２４】
図５に示すように、まず、ステップＳ１において、ＥＡＳメッセージフォーマット３０ａ（図４参照）が受信されたか否かが判断される。ここで、ＥＡＳメッセージフォーマット３０ａが受信されたと判断された場合には、ステップＳ２に進み、受信されたＥＡＳメッセージフォーマット３０ａが制御部６（図１参照）により解析される。また、ＥＡＳメッセージフォーマット３０ａが受信されていないと判断された場合には、ＥＡＳメッセージフォーマット３０ａが受信されたと判断されるまでこの判断を繰り返し行う。そして、ステップＳ２においてＥＡＳメッセージフォーマット３０ａの解析を行った結果に基づいて、ステップＳ３において、受信したＥＡＳメッセージフォーマット３０ａに含まれるアラートテキスト３０ｂ（文字情報のデータ）に対応するＥＡＳメッセージ３０が、新たなＥＡＳメッセージ３０であるか否かが判断される。すなわち、未表示のＥＡＳメッセージ３０であるか否かが判断される。そして、ステップＳ３において、受信したＥＡＳメッセージ３０が新たなＥＡＳメッセージ３０ではないと判断されると、ステップＳ１に戻り同様の処理を繰り返す。すなわち、同様の内容のＥＡＳメッセージ３０を繰り返し表示部４に表示することを抑制するために、ステップＳ３において新たなＥＡＳメッセージ３０であるか否かの判断が行われる。
【００２５】
次に、ステップＳ３において、受信したＥＡＳメッセージフォーマット３０ａに含まれるアラートテキスト３０ｂに対応するＥＡＳメッセージ３０が新たなＥＡＳメッセージ３０であると判断された場合に、ステップＳ４において、ＥＡＳメッセージ３０を表示させるか否かが判断される。ＥＡＳメッセージ３０を表示させると判断された場合には、ステップＳ５に進み、ＥＡＳメッセージフォーマット３０ａに含まれるアラートテキスト３０ｂ、アラートテキスト長３０ｃおよび表示時間データ３０ｄに基づいてＥＡＳメッセージ３０の表示方法を設定する。
【００２６】
ここで、本実施形態では、ステップＳ５において、制御部６は、受信されたＥＡＳメッセージフォーマット３０ａのアラートテキスト長３０ｃ（図４参照）に基づいて表示部４へのＥＡＳメッセージ３０の表示方法を選択するように制御する。具体的には、上記したように、ＥＡＳメッセージ３０の長さによって表示部４の画面上をスクロールしながら表示する方法、または、ＥＡＳメッセージ３０を複数行に分割して表示する方法などが選択される。また、制御部６は、受信されたＥＡＳメッセージフォーマット３０ａの表示時間データ３０ｄに基づいてＥＡＳメッセージ３０を表示する時間を設定するように制御する。
【００２７】
そして、ステップＳ６に進み、ＥＡＳメッセージ３０が複数の言語により構成されているか否かが判断される。つまり、ＥＡＳメッセージフォーマット３０ａのアラートテキスト３０ｂが複数の言語により構成された文字情報であるか否かが判断される。
【００２８】
ここで、本実施形態では、ステップＳ６において、ＥＡＳメッセージ３０が複数の言語により構成されていると判断された場合に、ステップＳ７に進み、複数の言語により構成されたＥＡＳメッセージ３０の中に、予めユーザにより設定された言語（システム設定言語）と一致する言語によって構成されたＥＡＳメッセージ３０が含まれているか否かが判断される。そして、システム設定言語と一致する言語によって構成されたＥＡＳメッセージ３０が含まれていると判断された場合に、ステップＳ８に進み、システム設定言語と一致する言語によって構成されたＥＡＳメッセージ３０を選択するとともに、ステップＳ９において、選択されたＥＡＳメッセージ３０が表示部４に表示される。具体的には、たとえば、図３に示すように、設定画面４ａにおいて予めシステム設定言語が英語に設定されている状態時に、英語を含む複数の言語により構成されたＥＡＳメッセージ３０を受信した場合には、図２に示すように、英語によりＥＡＳメッセージ３０が表示される。また、ステップＳ６において、ＥＡＳメッセージ３０が複数の言語により構成されていないと判断された場合（１種類の言語のみにより構成されていると判断された場合）には、ステップＳ９に進み、受信されたＥＡＳメッセージ３０は、ＥＡＳメッセージ３０を構成する言語により表示される。  
【００２９】
また、ステップＳ７において、複数の言語により構成されたＥＡＳメッセージ３０の中に、予めユーザにより設定された言語（システム設定言語）と一致する言語によって構成されたＥＡＳメッセージ３０が含まれていないと判断された場合には、ステップＳ１０に進み、デフォルトの言語により構成されたＥＡＳメッセージ３０が選択されるとともに、ステップＳ９において、選択されたデフォルトの言語によるＥＡＳメッセージ３０が表示部４に表示される。なお、デフォルトの言語とは、ＥＡＳメッセージ３０が１種類の言語のみにより構成されている場合の言語と同一の言語（主に英語）であり、ステップＳ６およびステップＳ７において、ＥＡＳメッセージ３０が１種類の言語により構成されていると判断された場合、および、システム設定言語に設定された言語と一致する言語により構成されたＥＡＳメッセージ３０が含まれていないと判断された場合には、ＥＡＳメッセージ３０は英語（デフォルトの言語）により表示される。
【００３０】
そして、ステップＳ９において、表示部４にＥＡＳメッセージ３０が表示されるとともに、ステップＳ１１において、ステップＳ５において設定した表示時間に基づいて、ＥＡＳメッセージ３０の表示時間の秒読み（カウントダウン）が開始される。
【００３１】
ここで、本実施形態では、制御部６は、上記したステップＳ８またはステップＳ１０において設定された言語によってＥＡＳメッセージ３０が表示されている際に、ユーザによるリモコン２０の操作に基づいて、ＥＡＳメッセージ３０の言語を複数の言語のうち表示されている言語以外の言語に変更するように制御する。具体的には、図２に示すように、ＥＡＳメッセージ３０が表示（英語により表示）されている際に、図５に示すステップＳ１２において、たとえば、ユーザによるリモコン２０の上下ボタンの押下などの操作に基づいたＥＡＳメッセージ３０の言語の切り替え指示があるか否かが判断される。ＥＡＳメッセージ３０の言語の切り替え指示があると判断された場合には、ステップＳ１３において、表示中の言語以外の言語への切り替え処理が開始される。そして、ステップＳ１４において、ＥＡＳメッセージ３０の切り替えた後の言語が表示部４に表示可能な言語であるか否かが判断される。すなわち、テレビジョン１のシステムに対応した言語か否かが判断される。ここで、切り替えた後の言語が表示可能な言語である（テレビジョン１のシステムに対応した言語である）と判断された場合に、ステップＳ１５において、図６に示すように、ＥＡＳメッセージ３０を切り替えた後の言語により表示（フランス語により表示）する。
【００３２】
また、ステップＳ１４において切り替えた後の言語が表示部４に表示可能な言語ではないと判断された場合には、ＥＡＳメッセージ３０の言語は切り替わらずに表示中のＥＡＳメッセージ３０が表示された状態が継続される。また、ステップＳ１２において、ＥＡＳメッセージ３０の切り替え指示がないと判断された場合にも、同様にして表示中のＥＡＳメッセージ３０が表示され続ける。なお、複数の言語のうち、切り替え可能な言語が少なくとも１つ含まれている場合には、切り替え可能な言語に切り替えられる。
【００３３】
そして、ステップＳ１６において、ステップＳ５において設定した表示時間が経過したか否かが判断される。そして、表示時間が経過していないと判断された場合は、ステップＳ１２にまで戻り、ステップＳ１６において表示時間が経過したと判断されるまで、ステップＳ１２〜ステップＳ１６の処理を繰り返し行う。
【００３４】
ここで、本実施形態では、ＥＡＳメッセージ３０は、ＥＡＳメッセージフォーマット３０ａの表示時間データ３０ｄ（図４参照）に基づいて表示され、制御部６は、表示部４にＥＡＳメッセージ３０が表示されている期間内にユーザのリモコン２０の操作がある場合に、ＥＡＳメッセージ３０の言語を変更するように制御する。すなわち、表示時間内においては、ＥＡＳメッセージ３０の言語の切り替え指示がある毎に、順次ＥＡＳメッセージ３０の言語が切り替え可能な言語に切り替わる。
【００３５】
そして、ステップＳ１６において表示時間が経過したと判断された場合には、ステップＳ１７に進み、ＥＡＳメッセージ３０の表示を終了するとともに処理が終了される。
【００３６】
また、ステップＳ４において、ＥＡＳメッセージ３０を表示しないと判断された場合に、ステップＳ１８に進み、ＥＡＳメッセージフォーマット３０ａの表示時間データ３０ｄに基づいて表示時間を設定するとともに、ステップＳ１９に進み、制御部６により、表示部４に表示されたテレビジョン放送の映像情報のチャンネルを緊急情報を通知する専用チャンネル（図示せず）に自動的に切り替えて表示するように制御される。
【００３７】
そして、ステップＳ１９においてＥＡＳ専用チャンネルの映像情報が表示されるのと同時に、ステップＳ２０において、表示時間の秒読み（カウントダウン）が開始される。そして、ステップＳ２１に進み、表示時間が経過したと判断された場合には、ステップＳ２２に進み、ＥＡＳ専用チャンネルに切り替わる前に表示部４に表示されていたチャンネルに対応する映像情報が表示されて処理が終了する。一方で、ステップＳ２１において、表示時間が経過したと判断されない場合には、表示時間が経過したと判断されるまでこの判断を繰り返す。
【００３８】
本実施形態では、上記のように、制御部６を、ＥＡＳメッセージ３０を受信した際に、設定画面４ａにより複数の言語から予め設定された所定の言語によって、受信したＥＡＳメッセージ３０を表示するように制御するように構成することによって、受信したＥＡＳメッセージ３０を表示する際にユーザが言語を選択することなくユーザによって予め設定画面４ａにおいて設定された所定の言語により表示されるように制御される。したがって、煩雑な操作を行うことなくユーザの所望の言語によりＥＡＳメッセージ３０を表示することができる。
【００３９】
また、本実施形態では、チューナーユニット２により受信されるＥＡＳメッセージ３０は、アラートテキスト３０ｂ（緊急内容を通知する文字情報）を含み、制御部６を、受信されたアラートテキスト３０ｂが複数の言語により構成されていると判断された場合に、予め設定された所定の言語により構成されたアラートテキスト３０ｂに対応するＥＡＳメッセージ３０を表示するように制御するとともに、受信されたＥＡＳメッセージ３０に複数の言語が含まれていないと判断された場合に、アラートテキスト３０ｂに対応するＥＡＳメッセージ３０を構成する言語によりＥＡＳメッセージ３０を表示するように制御するように構成することによって、ＥＡＳメッセージ３０に単一の言語しか含まれていない場合にはその単一の言語により表示されるとともに、ＥＡＳメッセージ３０が複数の言語により構成されている場合には、確実に所定の言語により表示することができる。
【００４０】
また、本実施形態では、チューナーユニット２により受信されるＥＡＳメッセージ３０は、アラートテキスト長３０ｃ（緊急内容を通知する文字情報の長さ情報）および表示時間データ３０ｄ（緊急内容を通知する文字情報の表示時間情報）をさらに含み、制御部６を、受信されたアラートテキスト長３０ｃに基づいて表示部４へのＥＡＳメッセージ３０の表示方法を選択するように制御するとともに、受信された表示時間データ３０ｄに基づいてＥＡＳメッセージ３０を通知する時間を設定するように制御するように構成することによって、制御部６の制御により、ＥＡＳメッセージ３０を、アラートテキスト長３０ｃに基づいて、たとえば、表示部４に対してＥＡＳメッセージ３０をスクロールするように表示する表示方法、または、ＥＡＳメッセージ３０を複数行に分割して表示する表示方法などの表示方法を選択して表示するとともに、ＥＡＳメッセージ３０の表示時間データ３０ｄに基づいて表示するように制御される。したがって、ユーザは、表示部４に表示されたＥＡＳメッセージ３０を容易に確認することができる。
【００４１】
また、本実施形態では，制御部６を、複数の言語により構成されたＥＡＳメッセージ３０のうち、予め設定された所定の言語に一致する言語により構成されたＥＡＳメッセージ３０が含まれると判断された場合に、所定の言語に一致する言語により構成されたＥＡＳメッセージ３０を表示するように制御するように構成することによって、複数の言語により構成されたＥＡＳメッセージ３０のうちから予め設定画面４ａにおいて設定された所定の言語に一致する言語により構成されたＥＡＳメッセージ３０を表示するので、確実に所望の言語によるＥＡＳメッセージ３０が表示される。これにより、ユーザは、容易にＥＡＳメッセージ３０の内容を認識することができる。
【００４２】
また、本実施形態では、複数の言語により構成されたＥＡＳメッセージ３０の言語を変更するリモコン２０をさらに備え、制御部６を、表示部４にＥＡＳメッセージ３０が所定の言語で表示されている際に、ユーザによるリモコン２０の操作に基づいてＥＡＳメッセージ３０の言語を複数の言語のうちの所定の言語以外の言語に変更するように制御するように構成することによって、ユーザによるリモコン２０の操作によってＥＡＳメッセージ３０を所定の言語以外の言語に変更して表示することができるので、ユーザは、必要に応じてＥＡＳメッセージ３０を所定の言語以外の言語により視認することができる。
【００４３】
また、本実施形態では、ＥＡＳメッセージ３０は、表示時間データ３０ｄに基づいて所定の期間表示され、制御部６を、表示部４にＥＡＳメッセージ３０が表示されている期間内にリモコン２０が操作された場合に、ＥＡＳメッセージ３０の言語を変更するように制御するように構成することによって、ＥＡＳメッセージ３０の表示時間の期間内にリモコン２０を操作する毎にＥＡＳメッセージ３０の言語が順次変更されるので、表示時間の期間内であればＥＡＳメッセージ３０の言語を繰り返し変更することができる。したがって、ユーザは、容易にＥＡＳメッセージ３０の言語を所望の言語に設定することができる。
【００４４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４５】
たとえば、上記実施形態では、表示部４がＬＣＤからなる例を示したが、本発明はこれに限らず、ＰＤＰ（Ｐｌａｓｍａ  Ｄｉｓｐｌａｙ  Ｐａｎａｌ）またはＣＲＴ（Ｃａｔｈｏｄｅ  Ｒａｙ  Ｔｕｂｅ）などから構成してもよい。
【００４６】
また、上記実施形態では、ＥＡＳに基づく緊急情報としてのＥＡＳメッセージ３０が表示部４に表示されている際にリモコン２０操作を行うことにより、表示部４に表示されたＥＡＳメッセージ３０の言語が他の言語に切り替わる例を示したが、本発明はこれに限らず、文字情報として表示可能な緊急情報を受信可能であれば、ＥＡＳ以外のシステムによる緊急情報による文字情報を表示部４に表示する際であっても、リモコン２０の操作を行った際に緊急情報の言語が変更されてもよい。
【００４７】
また、上記実施形態では、表示中のＥＡＳメッセージ３０の言語をリモコン２０の操作により変更する例を示したが、本発明はこれに限らず、リモコン２０の操作以外にも、入力部７の操作によって言語の変更を行う場合も適用される。すなわち、テレビジョン１の操作本体に設置されたボタンなどの操作部を操作することによりＥＡＳメッセージ３０の言語が変更されてもよい。
【図面の簡単な説明】
【００４８】
【図１】本発明の一実施形態によるテレビジョンを示すブロック図である。
【図２】図１に示した本発明の一実施形態によるテレビジョンの表示部における緊急情報の表示方法を説明するための図である。
【図３】図１に示した本発明の一実施形態によるテレビジョンのシステムの設定を行う設定画面を説明するための図である。
【図４】図１に示した本発明の一実施形態によるテレビジョンに送信される緊急情報のデータを示した図である。
【図５】図１に示した本発明の一実施形態によるテレビジョンの制御部における緊急情報信号を受信した際の制御フローを示したフローチャートである。
【図６】図１に示した本発明の一実施形態によるテレビジョンの表示部における緊急情報の表示方法を説明するための図である。
【符号の説明】
【００４９】
１          テレビジョン（表示装置）
２          チューナーユニット（受信部）
４          表示部
６          制御部
２０        リモコン（操作部材）
３０        ＥＡＳメッセージ（緊急情報）
３０ｂ      アラートテキスト（緊急内容を通知する文字情報）
３０ｃ      アラートテキスト長（緊急内容を通知する文字情報の長さ情報）
３０ｄ      表示時間データ（緊急内容を通知する文字情報の表示時間情報）
【図１】
2008294901.tif 000003
【図２】
2008294901.tif 000004
【図３】
2008294901.tif 000005
【図４】
2008294901.tif 000006
【図５】
2008294901.tif 000007
【図６】
2008294901.tif 000008